(57)【要約】【課題】ワイヤレスリンクのための装置構成を提供する。【解決手段】各装置は、１つの信号を受信するためのセンサと、当該装置と１つの制御素子との間に１つのデータ伝送チャネルを提供するためのデータリンク素子と、を１つずつ有している。各装置は、前記信号の受信時点及び／または経時特性を決定するための１つの計時装置を有しており、前記信号の受信を受けて、前記各計時装置は起動可能となっている。各装置は、前記センサにより受信された前記信号、ならびに前記信号の受信時点、及び／または、受信した前記信号の経時特性を記録して、前記各センサにより受信された複数の信号、ならびに前記複数の信号のそれぞれの受信時点、及び／または、受信した前記複数の信号のそれぞれの経時特性を、互いに提供し合い、相互に比較して、識別用の特徴として利用する。【選択図】図１ａ
2016131370.tif 000002
【特許請求の範囲】
【請求項１】
少なくとも１つの第１装置（２）と少なくとも１つの第２装置（３）とのワイヤレスリンクのための装置構成（１）であって、
前記各装置（２，３）は、いずれも、ある１つの信号（Ｓ１，Ｓ１’）を受信するためのセンサ（５）と、各装置（２，３）と１つの制御素子（８）との間に１つのデータ伝送チャネル（７）を提供するためのデータリンク素子（６）と、を１つずつ有しており、
−  前記各装置（２，３）は、いずれも、前記信号（Ｓ１，Ｓ１’）の受信時点及び／または経時特性を決定するための１つの計時装置を有しており、前記信号（Ｓ１，Ｓ１’）の受信を受けて、前記各計時装置は起動可能となっており、
−  前記各装置（２，３）は、
−  前記センサ（５）により受信された前記信号（Ｓ１，Ｓ１’）、ならびに前記信号（Ｓ１，Ｓ１’）の受信時点、及び／または、受信した前記信号（Ｓ１，Ｓ１’）の経時特性を記録して、
−  前記各センサ（５）により受信された複数の信号（Ｓ１，Ｓ１’）、ならびに前記複数の信号（Ｓ１，Ｓ１’）のそれぞれの受信時点、及び／または、受信した前記複数の信号（Ｓ１，Ｓ１’）のそれぞれの経時特性を、互いに提供し合い、相互に比較して、識別用の特徴として利用する
というように構成されている
ことを特徴とする装置構成（１）。
【請求項２】
前記各装置（２，３）は、
−  複数の機能オファーおよび機能リクエストを送信し、いずれか１つの別の装置（２，３）から複数の機能オファーおよび機能リクエストを受信し、
−  受信したそれぞれの機能オファーおよび機能リクエストを当該装置自身の様々な機能オファーおよび機能リクエストと比較し、
−  受信したそれぞれの機能オファーおよび機能リクエストを承認するとともに、
−  前記承認後にワイレスリンクを維持する、
というように構成されている
ことを特徴とする請求項１に記載の装置構成（１）。
【請求項３】
前記センサ（５）は、複数のオーディオ信号、または複数のビデオ信号、または熱、または１つの振動、を受信するように構成されている
ことを特徴とする請求項１または２に記載の装置構成（１）。
【請求項４】
前記第１装置（２）は、いずれかの可搬型のオブジェクトとして構成されており、
前記第２装置（３）は、いずれかの可搬型または定置型のオブジェクトとして構成されている
ことを特徴とする請求項１乃至３のいずれか１項に記載の装置構成（１）。
【請求項５】
複数の装置（２，３）のワイヤレスリンク方法であって、
−  リンクプロセスをトリガするための、受信可能な１つの信号（Ｓ１，Ｓ１’）を発生する工程、
−  １つのセンサ（５）を利用して前記信号（Ｓ１，Ｓ１’）を受信し、同時に１つの計時装置に計時をスタートさせるとともに、前記信号（Ｓ１，Ｓ１’）を記録（Ｓ２，Ｓ２’）する工程、
−  ワイヤレスリンクとして、１つのオープン状態にあるデータ転送チャネル（７）を介して、前記各装置（２，３）をリンク（Ｓ３，Ｓ３’）する工程、
−  時間の経過に伴い変化する複数の信号（Ｓ１，Ｓ１’）を送信し、受信して、比較する工程、
−  前記各装置（２，３）をリンク待機状態にあるオブジェクトとして認識（Ｓ４，Ｓ４’）して、ワイヤレスリンクを維持する工程、そうでない場合は、前記データ転送チャネル（７）をクローズして、ワイヤレスリンクを切断する工程、
−  少なくとも１つの機能オファーまたは１つの機能リクエストが含まれている、少なくとも１つのメッセージを送信（Ｓ５，Ｓ５’）する工程、
−  装置（２，３）にリンクされているさらにもう１つの装置（２，３）によりオファーされる複数の機能の内の１つを選択（Ｓ６，Ｓ６’）する工程、
−  前記装置（２，３）にリンクされている前記さらにもう１つの装置（２，３）において、前記機能を承認（Ｓ７，Ｓ７’）する工程、ならびに、
−  前記機能を実行するために、前記各装置（２，３）間で様々なデータを送信（Ｓ８，Ｓ８’）して受信する工程
を備える方法。
【請求項６】
前記時間の経過に伴い変化する複数の信号（Ｓ１，Ｓ１’）の前記比較が、ある１つの絶対時間に関連づけて行われることを特徴とする、請求項５に記載の方法。
【請求項７】
前記時間の経過に伴い変化する複数の信号（Ｓ１，Ｓ１’）の前記比較が、ある１つの定義済みの時間長に関連づけて行われることを特徴とする、請求項５または６に記載の方法。
【請求項８】
リンクプロセスをトリガするための前記受信可能な信号（Ｓ１，Ｓ１’）が、何らかの振動に基づくものであることを特徴とする、請求項５から７のいずれか１項に記載の方法。
【請求項９】
リンクプロセスをトリガするための前記受信可能な信号（Ｓ１，Ｓ１’）が、オーディオ信号として発生されることを特徴とする、請求項５から８のいずれか１項に記載の方法。
【請求項１０】
リンクプロセスをトリガするための前記受信可能な信号（Ｓ１，Ｓ１’）が、ビデオ信号として発生されることを特徴とする、請求項５から８のいずれか１項に記載の方法。
【発明の詳細な説明】
【技術分野】
【０００１】
本発明は、それぞれ、ある１つの信号を受信するためのセンサと、当該装置と１つの制御素子との間に１つのデータ伝送チャネルを提供するためのデータリンク素子と、を備えている少なくとも２つの装置のワイヤレスリンクのための装置構成に関する。
【０００２】
本発明は、さらに、複数の装置のワイヤレスリンクのための方法に関する。
【背景技術】
【０００３】
従来技術から知られている様々な電子機器は、相互通信を行うように構成されていて、互いに対して様々な機能を提供し合うようになっている。これらの機能を相互間で交換したり共同で実行したりするために、これらの機器は、結合したり、電子的に接続したり、機器同士が互いに認識し合うことで互いに機能し合うような相互通信状態に移行したり、することができるようになっている。
【０００４】
これらの機器により相互間で使用に供される機能は、例えば電話接続の構築、マイクロホンもしくはスピーカまたは音声認識の提供、ならびにミュージックファイルの送信およびミュージックの再生に関する機能、である。
【０００５】
従来型の電子機器の相互接続は、電気ケーブルを利用して行われる。この場合は、ケーブルをそれぞれの機器に差し込む動作が、これらの機器を接続したいという利用者の意思表示となっている。機器同士は、当該有線接続を利用して、互いに認識し合うことになる。
【０００６】
公知のワイヤレスリンク環境では、大抵の場合、個々の機器の受信エリア内に多数の機器類が存在するが、これらの機器の全てが、それ以外の全ての機器と通信できるわけではなく、またそのように通信できることが望まれている訳でもない。
【０００７】
ワイヤレスリンクの場合、機器類の相互リンクは、何らかのメニューを利用して、それぞれ手動により行われることになる。所望の機器の選択は、環境から認識された機器類がリストアップされている、用意されたリストを利用して行われる。その際このリストには、特に機器のネーミングや品名に関して、利用者が知らない機器や、利用者には分からない機器、さらには所望のリンクにとっては無意味である機器、も含まれているが、リンク先はその中から選ばれる。
【０００８】
所望の機器を選択してリンクを確立した後には、それぞれの機器において、様々な接続オプションの設定を行うことができる。さらに、もう１つのリストを利用して、実行するべき機能を選択することができる。
【０００９】
従来技術からは、同様に、複数の機器の様々なワイヤレスリンクも知られているが、そこではそれぞれの機器がリンクのために互いに触れ合うように並べて置かれたり、一緒に移動されたり、揺すられたり、互いに突き合わされたりしている。
【００１０】
米国特許出願公開第２０１２／０１９０２９９号には、機器のリンク方式が記載されているが、そこでは、１つのマスタ機器と、当該マスタ機器のリンク先である機器とが、上下に積層される、例えば互いに触れ合うように上下に重ねて置かれる。マスタ機器の内部には、ケース（ハウジング）に当たった際に発生する複数の所定の振動波形のデータが基準データとして記憶されている。従って、マスタ機器と当該マスタ機器のリンク先である機器とのワイヤレスリンクは、リンク先である機器が送られてくる様々な振動をとらえて、当該振動は異なってはいるが特徴的な波形を持っていて、これを検出することに基づいて行われるようになっている。検出された振動波形は、信号としてマスタ機器に返送されて、マスタ機器の内部に記憶されている複数の信号波形と比較され、少なくとも１つの信号波形と一致する場合に、両機器は相互リンクされる。
【００１１】
国際特許出願公開第２０１０／２３４５９号から、２つの機器間のワイヤレスデータ交換をトリガするための方法を読み取ることができる。両機器はいずれも、衝突または振動を検出するための１つのセンサを有している。そこでは、それぞれの機器が、他方の機器により発生された振動を検出して、この振動の特性を表す様々なデータを受信し、これらのデータが相互交換されるようになっている。振動により発生されたデータを受信したデータと比較し、その結果から相互衝突が検出されると、それを受けて、データ交換のために両機器は相互リンクされる。そこでは、それぞれの機器のケース（ハウジング）で生じた衝突が音波としてセンサに伝送されて、センサにより再び記録されるようになっている。
【００１２】
国際特許出願公開第２０１３／９８２６２号は、オーディオ信号を伝送するための、３つの機器の内少なくとも２つがいずれもマイクロホンとして構成されているワイヤレスリンクシステムに関している。マイクロホンを１つずつ有している２つの機器を互いにぶつけ合って、発生した衝撃音が両方のマイクロホンにより同時に検出される場合に、オーディオ信号の伝送が開始される。
【００１３】
米国特許出願公開第２０１１／０１２６０１４号には、複数の機器のワイヤレスリンクが開示されているが、そこでは、それぞれの機器が衝突などの物理的事象により励起されて、相互間でコンタクトを取り合うようになっている。その際には、衝突により発生された音が送信され、それぞれのリンク先機器がマイクロホンからこの音を拾い、さらに演算処理するようになっている。それに加え、これらの機器間では、この物理的事象の時点に関する情報も交換され、これらの情報も同様に各機器の認証のために援用される。認証に成功した後、それぞれの機器は相互リンクされる。
【００１４】
従来技術から知られている複数の機器のワイヤレスリンクシステムでは、リンク状態に入ることが所望される機器の選択が、一方では、環境から認識された機器類がリストアップされている、利用者が知らない機器や、利用者には分からない機器や、所望のリンクにとっては無意味である機器、も含まれているリストを利用して行われる。
【００１５】
それに加え、それぞれの機器が持つ機能の多くは、利用されずじまいとなっている。というのも、これらの機器を操作するためには、手間暇かけて操作方法を学習しなければならないのだが、利用者はそれを面倒に思い、この肝心なことをしないで済ませてしまうからである。例えば、タブレットＰＣのコンテンツをテレビ画面に表示する機能は、これまであまり利用されていないが、これは、テレビ画面及び／またはタブレットＰＣにおける様々な設定作業の勝手が利用者には分からないためである。自動車の車内のハンズフリートーク装置や、携帯電話間の連絡先データのやりとりについても、これと同じことがいえる。
【００１６】
他方では、複数の機器のワイヤレスリンクが、それぞれの機器から信号が発生され、その比較が行われた後に行われるようになっているが、信号の比較結果の信頼性に問題があれば、例えばこれらの信号が保存されている信号とは異なる場合に、各機器の所望のリンクを設ける際にエラーを生じることがある。それに加え、これらの信号を保存することも要求されるが、これはこのリンクを工数がかかるコスト高なものとしている。
【先行技術文献】
【特許文献】
【００１７】
【特許文献１】米国特許出願公開第２０１２／０１９０２９９号
【特許文献２】国際特許出願公開第２０１０／２３４５９号
【特許文献３】国際特許出願公開第２０１３／９８２６２号
【特許文献４】米国特許出願公開第２０１１／０１２６０１４号
【発明の概要】
【発明が解決しようとする課題】
【００１８】
本発明の課題は、複数の電子機器のワイヤレスリンクを最小限の認証工数で行うための電子装置もしくは機器および方法を提供することにある。それぞれの装置の通信状態を確認し、通信待機状態にあると判定された場合は、これらの装置を簡単な方法で確実に相互にリンクできるものとし、またその際には、第三者である利用者による認証が行われるようにする。その際利用者には、リストからの機器類のコードネームの選択や、不可解なコードの手入力など、様々な接続テクニックや機能についての知識が、一切要求されないものとする。リンクを確立するために不可欠な所作は、直観的にわかる簡単なものとする。さらにそこでは、その時々の瞬間に所望の機能を用いた通信を要求している装置だけが相互にリンクされるものとする。
【課題を解決するための手段】
【００１９】
この課題は、それぞれの独立クレームの特徴を具備した装置および方法により解決される。それぞれの従属クレームには、展開構成例が提示されている。
【００２０】
この課題は、少なくとも１つの第１装置と少なくとも１つの第２装置とのワイヤレスリンクのための本発明に従った装置構成により解決される。これらの装置はいずれも、ある１つの信号を受信するためのセンサと、当該装置と１つの制御素子との間に１つのデータ伝送チャネルを提供するためのデータリンク素子と、を１つずつ備えて構成されている。
【００２１】
本発明の構想によれば、これらの装置はいずれも、この信号の受信時点及び／または経時特性を決定するための１つの計時装置を有しており、これらの計時装置は、この信号の受信を受けて起動できるようになっている。また、これらの計時装置は、この信号の受信を受けて計時をスタートするようになっている。
【００２２】
それぞれの装置は、本発明に従って、一方では、それぞれのセンサにより受信された上述の１つの信号、ならびにこの信号の受信時点及び／または受信したこの信号の経時特性を、他方では、それぞれのセンサにより受信された複数の信号、ならびにこれらの信号のそれぞれの受信時点及び／または受信したこれらの信号のそれぞれの経時特性を、互いに提供し合い、相互に比較して、識別用の特徴として利用するように構成されている。
【００２３】
受信したそれぞれの信号は、認識用の特徴または識別用の特徴として検出されて記録できるようになっている。
【００２４】
本発明の好ましい構成形態の一例においては、これらの装置がいずれも、複数の機能オファーや機能リクエストを送信して、いずれか１つの別の装置から複数の機能オファーや機能リクエストを受信して、受信したそれぞれの機能オファーおよび機能リクエストを装置自身の機能オファーや機能リクエストと比較して、受信したそれぞれの機能オファーおよび機能リクエストを承認するとともに、承認後はこれらの装置間のワイヤレスリンクを維持するように、構成されている。
【００２５】
本発明の展開構成例によると、センサは、複数のオーディオ信号、または複数のビデオ信号、または熱、またはある１つの振動を受信するように構成されている。
【００２６】
本発明の有利な構成形態の一例は、第１装置がいずれの可搬型のオブジェクトとして構成され、第２装置がいずれかの可搬型または固定型のオブジェクトとして構成されることにより成っている。
【００２７】
それぞれの装置により受信されることになる信号は、振動などの何らかの物理的事象の影響、または、衝突などの振動時に発生する音であると好ましい。例えば、２つの装置が物理的にぶつかり合う結果、機能オファラーもしくは機能ユーザーであるこれら両装置間のワイヤレスリンクが起動される。２つの装置、例えば携帯電話と入力端末とが、相互にリンクされることによって、利用者は両方の装置の様々な機能を使用することができる。これらの装置は、相互リンク待機状態にあることを認識して、それぞれに承認される、もしくは所望されているのがどの機能であるかを決定する。
【００２８】
上述の課題は、複数の装置のワイヤレスリンクのための本発明に従った方法によっても解決される。この方法は、次の各工程：
−  リンクプロセスをトリガするための、受信可能な１つの信号を発生する工程、
−  １つのセンサを利用して前記信号を受信し、同時に１つの計時装置に計時をスタートさせるとともに、前記信号を記録する工程、
−  ワイヤレスリンクとして、１つのオープン状態にあるデータ転送チャネルを介して、前記各装置をリンクする工程、
−  時間の経過に伴い変化する複数の信号を送信し、受信して、比較する工程、
−  前記各装置をリンク待機状態にあるオブジェクトとして認識して、ワイヤレスリンクを維持する工程、そうでない場合は、前記データ転送チャネルをクローズして、ワイヤレスリンクを切断する工程、
−  少なくとも１つの機能オファーまたは１つの機能リクエストが含まれている、少なくとも１つのメッセージを送信する工程、
−  装置にリンクされているさらにもう１つの装置によりオファーされる複数の機能の内１つを選択する工程、
−  前記装置にリンクされている前記さらにもう１つの装置において、前記機能を承認する工程、および、
−  前記機能を実行するために、前記各装置間で様々なデータを送信して受信する工程
から成っている。
【００２９】
本発明の別の好ましい構成形態によると、時間の経過に伴い変化する複数の信号の比較は、ある１つの絶対時間に関連づけて行われるようになっている。この絶対時間とは、そこではある１つの時点であると解釈することができる。
【００３０】
本発明の展開構成例によると、時間の経過に伴い変化する複数の信号の比較は、ある１つの定義済みの時間長に関連づけて行われるようになっている。この定義済みの時間長とは、そこではある一定の経過時間であると解釈することができることから、この比較には、ある一定の時間長にわたり記録された信号、ひいてはこの信号の経時特性が援用されることになる。
【００３１】
本発明のさらにもう１つの有利な構成形態は、リンクプロセスをトリガするための受信可能な信号が何らかの振動に基づくものであることから成っている。
【００３２】
このリンクプロセスをトリガするための受信可能な信号は、オーディオ信号として発生されると有利である。
【００３３】
本発明の別の代替構成形態によると、このリンクプロセスをトリガするための受信可能な信号は、ビデオ信号として発生されるようになっている。
【発明の効果】
【００３４】
要約すると、本発明に従った装置構成および本発明に従った方法は、次に挙げる様々な長所を有している。
−  複数の機器のワイヤレスリンクおよび各種機能の転送のための、１つのリストからの面倒な選択が回避される。
−  環境内に位置する複数の装置により、リンクを構築するために発生される複数の信号の承認および比較が行われ、所望の装置同士が明確かつ確実にリンクされる。
【００３５】
本発明の様々な構成形態の更なる細部、特徴および長所については、添付図面を参照した以下の実施例の説明から明らかにされる。
【図面の簡単な説明】
【００３６】
【図１ａ】２つの装置のワイヤレスリンクのための装置構成を示す図である。
【図１ｂ】２つの装置のワイヤレスリンクのための装置構成を示す図である。
【図２】第２の装置にワイヤレスリンクされる装置を示す図である。
【図３】２つの装置のワイヤレスリンクを構築する手順を示す、この装置構成のシーケンス図である。
【発明を実施するための形態】
【００３７】
図１ａおよび１ｂには、いずれも、２つの装置２、３のワイヤレスリンクのための装置構成１が示されている。これらの装置構成１は、様々な機能の提供者であり要求者である、第１装置２と第２装置３とを１つずつ有している。一般に、装置２、３は、提供者であると同時に要求者であってもかまわない。
【００３８】
第１装置２は、少なくとも１つの機能の送信者もしくは提供者として構成される上に、特に可搬型のオブジェクトとしても構成されている。第２装置３は、受信器として構成されているが、これは可搬型または固定型のオブジェクトであってよい。これらの装置２、３は、１つの検知可能な信号４を受信するように、構成されている。第２装置３は、図１ａにならって、例えばモニタまたはテレビ装置として、または図１ｂにならって、ラジオ装置として、構成されている。
【００３９】
これらの装置２、３間の通信をトリガする（開始させる）ために、第１装置２は第２装置３とコンタクトを取るようになっている。このコンタクトは、何らかの振動（振盪）の形態をとる１つの受信可能な信号Ｓ１が発生されることにより、要求される。この場合、第１装置２が第２装置３に衝突される。第１装置２の第２装置３へのこの衝撃的な振動もしくは衝突の結果として、音が発生され、第２装置３はこの音を検出し記録して、さらに演算処理できるようになっている。
【００４０】
この振動、もしくはノックに似た音（ノイズ）の発生は、利用者による特定の物理的事象を利用した両装置２、３の相互ログイン、または第１装置２の第２装置３へのログインに相当する。この物理的事象によりリンクプロセスがトリガされ、また両装置２、３が互いに認識し合って、互いに対して様々な機能をオファーする。装置２、３の内の一方が、他方の装置３、２をリンク先として認識して、オファーされた複数の機能の内の１つを承認する限り、機能をリクエストしている装置２、３と機能をオファーしている装置３、２との間のリンクは維持される。ここでは、装置２、３がいずれも、機能をリクエストする及び／または機能をオファーするように構成され得る。
【００４１】
利用者が第１装置２を用いて第２装置３をノックすると、その結果として、両方の装置２、３により受信可能な信号Ｓ１が発生される。この受信可能な信号Ｓ１を利用して、それぞれの装置の内部ユニットは、機能をオファーしている第１装置２および機能をリクエストしている第２装置３がそれぞれ他方の装置２、３とリンクすべきである、ということを報ずるが、これは、利用者による初回の認証として解釈することができる。
【００４２】
図２には、図示されない１つの第１装置２にワイヤレスリンクされる１つの第２装置３が示されている。このワイヤレスリンクは、データ伝送チャネル７により具現されるものであり、装置２はこのデータ伝送チャネル７の末端のところに示唆されている。
【００４３】
ワイヤレスリンクを確立するために、第１装置２から送出される、両装置２、３間のリンクに関する照会として発生される信号Ｓ１が、１つのセンサ５により受信される。その際に送出される信号Ｓ１は、オーディオ信号またはビデオ信号、もしくは１つの熱センサまたは１つの振動センサにより受信可能な信号であるとよい。
【００４４】
環境内に位置する何の関係もない装置が期せずして応答し、リンクされてしまうことを回避するために、ワイヤレスリンクを確立させるための、例えば振動または音として利用されるノックなどの、物理的事象に対するリアルタイム性や、センサ５により受信される信号Ｓ１、すなわちオーディオデータ、ビデオデータ、熱センサのデータ、または振動センサのデータの経時特性への配慮が行われるようになっている。センサ５により受信されたそれぞれの信号Ｓ１は、それぞれの受信時点、もしくは１つの制御素子８における経時特性、と組み合わせて送信される。
【００４５】
それに加え、第２装置３は、１つのデータリンク素子６とオープン状態にあるデータ伝送チャネル７とを介して第１装置２とコンタクトを取り合うようになっている。それ以外にも、これらの装置２、３は、ワイヤレスリンクを確立するための専用のメッセージ信号および関連性のある様々な測定データ、ならびに、オファーされリクエストされる機能に関する記述を識別して、複数のサブモジュールに転送して演算処理を行うように、構成されている。これにより、オープン状態にあるデータ伝送チャネル７を通って第１装置２からデータリンク素子６に伝送される、単位時間や経時特性に関する様々な照会データは、同様に、制御素子８に直接伝送される。それと同時に、データリンク素子６により受信された、照会元である第１装置２の複数の機能オファーおよび機能リクエストが、第２装置３のそれぞれの機能オファーおよび機能リクエストと比較される。これらの機能オファーおよび機能リクエストの比較結果も同様に、データの検定のために制御素子８に転送される。
【００４６】
第２装置３の内部で処理される様々なデータおよび信号を、第１装置２のそれぞれのデータおよび信号と突き合わせて検定を行うことにより、機能をオファーしている第１装置２と機能をリクエストしている第２装置３との間のワイヤレスリンクを維持すべきであるかどうかが決定される。向かい合わせに位置しているそれぞれの装置２、３が、ノックに関与した装置２、３であると同定される場合は、両装置２、３間のワイヤレスリンクが確立される。
【００４７】
ワイヤレスリンクの上述の手順は、リンクを構築するために、両装置２、３間の各種機能を認証する目的でのさらに別の交互作用がオファーされて演算処理が行われることを排除するものではない。
【００４８】
図３には、２つの装置２、３の、例えば自動車のミュージックプレイヤーとサウンドシステムの、ワイヤレスリンクを構築するための装置構成１のシーケンス図が示されている。
【００４９】
利用者、すなわち自動車の運転者が、第１装置２を用いて第２装置３をノックすることにより発生される振動もしくはそれにより発生される音は、これらの装置２、３のセンサ５により信号Ｓ１、Ｓ１’として受信される。そこでは運転者が、ミュージックプレイヤーを用いて、サウンドシステムを備えて構成された自動車のセンターコンソールをノックするようになっている。それぞれの装置２、３は、センサ５のほかにも、相互ノックを検知するソフトウェアを備えて構成されている。
【００５０】
信号Ｓ１、Ｓ１’の受信を受けて、それぞれの装置２、３の内部では１つの計時装置が計時をスタートする。同時に、ある一定の時間長にわたり、信号Ｓ１、Ｓ１’の記録Ｓ２、Ｓ２’が行われる。その際には、実施形態により振動自体の信号が記録されるか、またはこの振動により発生された音がオーディオ信号として記録されるようになっている。
【００５１】
引き続いて、これらの装置２、３は、データ伝送チャネル７を介してリンクＳ３、Ｓ３’されることで互いにつながれて、受信した信号Ｓ１、Ｓ１’など、様々なデータを、絶対時間もしくは定義済みの時間長に関連づけて、互いに送受信し合って、それぞれの相互比較を行うようになっている。
【００５２】
互いに伝送し合った信号Ｓ１、Ｓ１’の比較結果を利用して、それぞれの装置２、３は、リンク待機状態にある、リンクのために互いに対して直近に位置しているオブジェクトとして認識Ｓ４、Ｓ４’されて、リンク要求が出される。両装置２、３が互いに対する直近位置にありリンク要求が検出される場合は、リンクが維持される。
【００５３】
その際には、ゲーム用コンピュータなどのさらに別の装置が、ノック音を同様に知覚して受信することもできる。しかしながら、これらのさらに別の装置は、ある１つの絶対時間における信号を記録する、または、ある一定の時間長にわたり信号を記録することによって、いずれの側のノック事象にも関与していないことを確認できるようになっている。振動信号またはオーディオ信号の、時間に関連づけられたそれぞれのデータの検定結果に基づいて、例えばゲーム用コンピュータには、当事者であるそれぞれの装置２、３よりも、このノック事象が４ｍｓ遅れて到達したことが確認されるが、この時間は、ゲーム用コンピュータから両装置２、３までの約１．５ｍの距離に相当する。これにより、事象として直接ノックが行われた可能性は排除される。ゲーム用ファミリーコンピュータといずれかの装置２、３との間のリンクは、維持されないことになる。
【００５４】
その後には、両装置２、３間で少なくとも１つのメッセージの送信Ｓ５、Ｓ５’が行われるが、このメッセージには、少なくとも１つの機能オファーまたは１つの機能リクエストが含まれている。その際には、例えば自動車の操縦者が所有するミュージックプレイヤーとセンターコンソールのサウンドシステムとによって、これらの機能の検定結果（較正）の認証が行われるようになっている。このときにはミュージックプレイヤーからサウンドシステムに向けてミュージックデータの伝送を可能にするための様々な情報が送信されるが、ミュージックプレイヤー自体がサウンドシステムの機能を要求することはない。
【００５５】
その後続いて、向かい合わせに置かれたそれぞれの装置２、３によりオファーされる複数の機能の内の１つが選択Ｓ６、Ｓ６’される。オファーされた機能が選択Ｓ６、Ｓ６’されると、向かい合わせに置かれたそれぞれの装置２、３において、この機能の照会もしくは承認Ｓ７、Ｓ７’が行われる。
【００５６】
従ってサウンドシステムからは、ミュージックデータ伝送機能の要求メッセージが送られることになる。ミュージックプレイヤーとサウンドシステムはリンクされたままとなる。自動車の操縦者に対しては、自動車の車内に配置される１つの表示装置を利用してミュージックプレイヤーが表示され、相応の再生用コンテンツがオファーされる。
【００５７】
オファーされた機能が承認Ｓ７、Ｓ７’されると、その結果として、所望の機能を実行するために両装置２、３間で様々なデータの送信Ｓ８、Ｓ８’が始まる。
【００５８】
キーボードおよびマウスとコンピュータとのリンクや、コンピュータ同士の相互リンクも、これと同様の方法で行うことができる。
【符号の説明】
【００５９】
１  装置構成
２  第１装置
３  第２装置
４  検知可能な信号
５  センサ
６  第１装置２へのデータリンク素子
７  データ伝送チャネル
８  制御素子
Ｓ１、Ｓ１’  受信可能な信号
Ｓ２、Ｓ２’  信号Ｓ１、Ｓ１’の記録
Ｓ３、Ｓ３’  装置２、３のリンク
Ｓ４、Ｓ４’  直近に位置するリンク待機状態にあるオブジェクトの確認
Ｓ５、Ｓ５’  機能オファー／機能リクエストメッセージの送信
Ｓ６、Ｓ６’  オファーされる機能の選択
Ｓ７、Ｓ７’  オファーされる機能の照会／承認
Ｓ８、Ｓ８’  機能を実行するための装置２、３間のデータ送信
【図１ａ】
2016131370.tif 000003
【図１ｂ】
2016131370.tif 000004
【図２】
2016131370.tif 000005
【図３】
2016131370.tif 000006